(57)【要約】      （修正有）【課題】照射光を均一にし、照射面積を大きくし、しかも無死角とすることができる街灯構造を提供する。【解決手段】街灯構造は、道路照明用街灯で、発光本体１、第一本体２、第二本体３、第三本体４を備え、発光本体１はＬＥＤ発光部品を備え、第一本体２は発光本体１上方に重ねて設置し、発光本体１は光透過材料により製造し、発光本体１頂点部には散射部２２を設置し、第二本体３は第一本体２環状辺２３に設置し、第二本体３頂点部には第三本体４を連結し、第三本体４底面には弧面状の反射部４２を設置し、これにより発光本体１の光源は第一本体２を通過後、散射を形成し、散射後の光源は第三本体４により反射する。【選択図】図２
0003177268.tif 000002
【実用新案登録請求の範囲】
【請求項１】
街灯構造は、発光本体、第一本体、第二本体、第三本体を備え、
前記発光本体は一個或いは一個以上の発光部品を備え、前記発光本体は前記第一本体の底部に位置し、
前記第一本体は光透過材料で製造し、前記第一本体の頂点部には散射部を設置し、
前記第二本体は光透過材料で製造する環状カバー体で、底部と頂点部分には下開口と上開口を設置し、前記下開口は前記第一本体上に重ねて設置し、
前記第三本体は前記第二本体の上開口位置に組み合わせて設置し、前記第三本体の底面には外向きに反射部を形成することを特徴とする街灯構造。
【請求項２】
前記発光部品はLED式構造であることを特徴とする請求項１に記載の街灯構造。
【請求項３】
前記第一本体の底部には収容設置部を設置し、
前記収容設置部中には発光本体を収容して設置し、
前記散射部は前記収容設置部上方位置の第一本体頂点部に位置することを特徴とする請求項１に記載の街灯構造。
【請求項４】
前記散射部は曲面凸レンズ構造で、
前記第一本体の散射部周辺には環状辺を形成し、
前記第二本体の下開口辺縁には、係合リングを形成し、前記係合リングを利用し、前記第二本体を前記第一本体の環状辺位置に重ねて設置することを特徴とする請求項１に記載の街灯構造。
【請求項５】
前記第二本体の上開口辺縁には結合リングを設置し、
前記第三本体は、前記第二本体の上開口の結合リング位置に組み合わせて設置することを特徴とする請求項１に記載の街灯構造。
【請求項６】
前記第三本体の底面には端角を形成し、
前記反射部は前記端角から外へと形成することを特徴とする請求項１に記載の街灯構造。
【請求項７】
前記反射部は光線反射の作用を備える材料により製造することを特徴とする請求項１に記載の街灯構造。
【請求項８】
前記反射部の表面灯は光線反射作用を備える材料を有することを特徴とする請求項１に記載の街灯構造。
【請求項９】
前記第一本体底部には棒体を設置することを特徴とする請求項１に記載の街灯構造。
【考案の詳細な説明】
【技術分野】
【０００１】
本考案は街灯構造に関し、特に道路用LEDランプの照射光を均一にし、照射面積を大きくし、しかも無死角とすることができる街灯構造に関する。
【背景技術】
【０００２】
従来の電球は消費電力が大きく、しかも寿命が短いのは、争えない事実である。
【０００３】
従来の電球の環境汚染、エネルギー大量消費等欠点を解決するため、近年新たに開発されたLEDランプが、徐々に普及し始めている。
この種の次世代LEDランプは、回收時の汚染程度が比較的低いばかりか、照明使用時の消費電力量が低く、しかも最適な明るさを形成することができる。
【０００４】
しかし、この種の新型LEDランプにも多くの欠点が存在する。
すなわち、この種のLEDランプは点光源に属するため、その光線の発散角度は、チップを点の中心として外へと放射状に発散する。
これにより、光線が過度に集中し、照射面積が小さく、均一に拡散させられない等、照射効果における欠点が生まれる。
【０００５】
そのため、LEDランプが反射カバーを備えない限りは、光線の投射或いは散射の角度と範囲を制御し、光効率を向上させることはできない。
すなわち、いかにしてLED光源の照射範囲を拡大し、これにより光源を拡散させるかは、業者が解決を模索する課題である。
【０００６】
本考案者は従来の道路用灯が、夜間オンにした後、しばしば少なくとも十数時間はつけっぱなしで、作動時間が非常に長いことに鑑み、特に街灯の構造に対して研究を行った。
すなわち本考案は、従来のLEDランプの上記した欠点に鑑みてなされたものである。
【考案の概要】
【考案が解決しようとする課題】
【０００７】
本考案が解決しようとする第一の課題は、街灯を具体的に商品化し、実際の道路照明に応用するため、構造中に散射と反射の技術を応用し、これにより光が均一で、しかも柔らかく、目を刺激せず、照射面積が大きく、しかも拡散し、死角がない等目的を達成するLED式街灯構造を提供することである。
本考案が解決しようとする第二の課題は、散射式灯管構造を用いることで、構造をシンプルにし、コストを引き下げ、商品価値と競争力を備える街灯構造を提供することである。
本考案が解決しようとする第三の課題は、散射式灯管構造を用いることで、構造は防風、防雨等問題を充分に考慮し、これにより街灯構造は損壊しにくく、使用寿命が長い街灯構造を提供することである。
【課題を解決するための手段】
【０００８】
上記課題を解決するため、本考案は下記の街灯構造を提供する。
街灯構造は、発光本体、第一本体、第二本体、第三本体を備え、
好ましくは、該発光本体は一個或いは一個以上の発光部品を備え、該発光部品は、LED式構造で、
好ましくは、該発光本体は、該第一本体の底部に位置し、
好ましくは、該第一本体は、光透過材料により製造し、
好ましくは、該第一本体底部には、収容設置部を設置し、該収容設置部は、該発光本体を収容して設置することができ、
好ましくは、該第一本体の頂点部、特に該収容設置部上方位置には、散射部を設置し、該散射部は、曲面凸レンズ構造で、該曲面凸レンズ構造は、光源散射の作用を提供することができ、
好ましくは、該第一本体の散射部周辺には、環状辺を形成し、
好ましくは、該第二本体は、環状カバー体で、底部と頂点部分には、下開口と上開口を設置し、該下開口は、該第一本体の環状辺位置に重ねて設置し、
好ましくは、該第二本体の下開口辺縁には、係合リングを形成し、該係合リングは、該第一本体の環状辺位置に組み合わせて設置し、
好ましくは、該第二本体は、光透過材料により製造し、
好ましくは、該第二本体の上開口辺縁には、結合リングを形成し、
好ましくは、該第三本体は、やや蓋体状を呈し、該第三本体は、該第二本体の上開口位置、特に該結合リング位置に組み合わせて設置し、
好ましくは、該第三本体の底面には、端角から外へ向かい、反射部を形成し、該反射部は、逆錐環状曲面を形成し、
好ましくは、該反射部は、光線反射の作用を備える材料により製造し、
好ましくは、該反射部の表面灯は、光線反射作用を備える材料を有する。
【考案の効果】
【０００９】
本考案の街灯構造は、光源の拡散面積が大きく、目を刺激せず、死角がなく、しかも均一で柔和である等長所を備える。
【図面の簡単な説明】
【００１０】
【図１】本考案の立体分解図である。
【図２】本考案の断面構造図である。
【図３】本考案の実施状態模式図である。
【考案を実施するための形態】
【００１１】
以下に図面を参照しながら本考案を実施するための最良の形態について詳細に説明する。
【実施例】
【００１２】
図１、２に示すように、本考案街灯構造は、発光本体1、第一本体2、第二本体3、第三本体4を備える。
【００１３】
発光本体1は一個或いは一個以上の発光部品11を備え、発光部品11はLED式構造で、発光本体1は第一本体2の底部に位置する。
【００１４】
第一本体2は光透過材料で製造し、第一本体2の底部には収容設置部21を設置する。
収容設置部21は、発光本体1を収容して設置することができる。
また、第一本体2の頂点部の、特に収容設置部21上方位置には、散射部22を設置する。
散射部22は曲面凸レンズ構造である。
曲面凸レンズ構造は、光源散射の作用を提供することができる。
別に、第一本体2の散射部22周辺には環状辺23を形成する。
【００１５】
第二本体3は光透過材料で製造する環状カバー体で、底部と頂点部分には下開口31と上開口32を設置する。
下開口31辺縁には係合リング311を形成し、係合リング311を利用し、第二本体3を第一本体2の環状辺23位置に重ねて設置することができる。
第二本体3の上開口32辺縁には結合リング321を形成する。
【００１６】
第三本体4はやや蓋体状を呈し、第三本体4は第二本体3の上開口32位置に組み合わせて設置し、特に結合リング321位置に組み合わせて設置する。
第三本体4の底面には端角41から外へ向かい、反射部42を形成する。
反射部42は逆錐環状曲面を形成する。
しかも、反射部42は、光線反射の作用を備える材料で製造し、或いは反射部42の表面灯は、光線反射作用を備える材料を有する。
【００１７】
図２、３に示すように、上記した構成部材により、本考案実施時には、発光本体1の発光部品11に通電すると光源を生じる。
光源は、第一本体2を通過する時、散射部22の曲面凸レンズ構造により、散射作用を形成する。
散射後の光源は、第三本体4の反射部42位置に完全に照射し、さらに反射部42の光線反射作用を利用し、もともと下から上へと投射し、しかも範囲に制限があった光束は、反射して、360度環状照射の光源に変わる。
こうして、光源は、拡散面積が大きく、目を刺激せず、死角がなく、しかも均一で柔和である等長所を備える。
【００１８】
街灯構造は底部に、必要に応じて棒体5を設置する。
【００１９】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２０】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２１】
１    発光本体
１１  発光部品
２    第一本体
２１  収容設置部
２２  散射部
２３  環状辺
３    第二本体
３１  下開口
３１１係合リング
３２  上開口
３２１結合リング
４    第三本体
４１  端角
４２  反射部
５    棒体
【図１】
0003177268.tif 000003
【図２】
0003177268.tif 000004
【図３】
0003177268.tif 000005